(57)【要約】【課題】  直感的で簡便な操作で放水停止操作できるように操作性の向上を図り、操作員がパニック状態に陥ったような場合であっても、スムーズに放水停止操作を行えるようにする。【解決手段】  消火装置が放水するとき又は放水中のとき、自動的に放水停止スイッチの操作を許可しておき、このとき放水停止スイッチの操作を行うと操作権を取得できるようにしておき、さらに連続して放水停止スイッチの操作を行うと消火装置の放水を停止するようにした。【選択図】  図３
2014033709.tif 000002
【特許請求の範囲】
【請求項１】
防護区画に配設する火災検出手段および消火手段と、防災センタ等の集中管理施設に配設する消火システム制御盤と、前記防護区画を直接監視可能な近傍位置に配設する現地操作盤と、を備え、前記火災検出手段の作動によって前記消火手段を作動させる自動放水モードと、前記消火手段を手動で遠隔操作できる手動放水モードの何れかを選択して運転する消火システムの制御装置において、；
前記消火システム制御盤または前記現地操作盤は、前記消火手段が放水するとき又は放水中のとき、自動的に操作が許可される放水停止スイッチを備え、
該放水停止スイッチは、前記操作が許可されているときに、第１回目の操作を行うとこの操作を最後に行った前記現地操作盤または前記消火システム制御盤のみに前記消火手段を手動で遠隔操作することを許可するとともに他からの前記遠隔操作を禁止し、さらに連続して第２回目の操作を行うと前記消火装置の放水を停止することを特徴とする消火システムの制御装置。
【請求項２】
前記消火システム制御盤は、平常時に現地操作盤での操作を禁止する盤面操作禁止手段を備え、該盤面操作禁止手段は、前記現地操作盤を専用鍵で操作することによって解除可能であるとともに、前記火災検出手段の作動によって自動的に解除することを特徴とする、請求項１に記載の消火システムの制御装置。
【請求項３】
前記自動放水モード時に前記消火手段を作動するとき、所定の遅延時間の後に前記消火手段を作動させる遅延動作を行うとともに、該遅延時間の間に前記現地操作盤で遅延動作停止操作を行うと、前記遅延動作を中止して前記消火手段の作動を中止するとともに、前記手動放水モードに移行する制御を行う制御部を備えたことを特徴とする請求項１または請求項２に記載の消火システムの制御装置。
【請求項４】
前記現地操作盤および前記消火システム制御盤は、それぞれ放水区画を選択する区画選択手段を備え、
前記手動放水モードのときに該区画選択手段を操作することによって前記現地操作盤または前記消火システム制御盤の何れかを選択し、前記区画選択手段を選択する操作を最後に行った前記現地操作盤または前記消火システム制御盤のみに前記消火手段を手動で遠隔操作することを許可するとともに他からの遠隔操作を禁止し、前記現地操作盤および前記消火システム制御盤のそれぞれに設けた前記選択の状態を示す操作権表示手段を制御する制御部を備えたことを特徴とする請求項１乃至３のいずれかに記載の消火システムの制御装置。
【発明の詳細な説明】
【技術分野】
【０００１】
本発明は、消火システムの制御装置に関するものである。
【背景技術】
【０００２】
建造物等の防火対象物に設置し、火災を自動的にあるいは手動操作によって消火する消火システムの制御装置として、消火システム制御盤や現地操作盤等がある。消火システム制御盤（散水制御盤ともいう）は、防災センタ等の集中管理施設に設置して消火システムを集中制御する制御装置である。また現地操作盤は、消火しようとする対象を直接監視可能な近傍位置に設置して消火システムを手動制御する制御装置である。これらの消火システムの制御装置が設けられる消火システムについて図５を使用して説明する。
【０００３】
図５は建造物等の防火対象物における消火システムのシステム図である。図５における防火対象物は３つの区画Ａ、Ｂ、Ｃに分けられ、それぞれ火災検出手段としての消火システム専用の火災感知器３と消火手段としての固定式ヘッド４がそれぞれ設置されている。このように防火対象物において前記区画のような消火を行う単位を防護区画と呼ぶ。
【０００４】
固定式ヘッド４は配管に接続されており、その配管の基端側には遠隔操作弁５が設けられ、さらにその一次側には、ポンプや水槽からなる加圧送水装置６が設けられている。また、防火対象物を人が直接監視可能な近傍位置には、消火システムを手動で遠隔操作するために、遠隔操作弁５の開閉を制御する機能等を備えた現地操作盤７が設置されている。
【０００５】
また、前記防火対象物には、前記防護区画を包含するような警戒区域を有する自動火災報知設備用の火災感知器１および２が設置され、火災感知器１および２は信号線を介して防災センタ等の集中管理施設に設けられた火災受信機８に接続されている。なお、火災感知器２は光電式分離型感知器と呼ばれる種類の火災感知器の一種であり、受光部２ａと投光部２ｂに分かれているが、これらは一体的に火災感知器２として前記受光部２ａと前記投光部２ｂの間の火災を監視するものである。
【０００６】
一方、防災センタ等の集中管理施設に設けられた消火システム制御盤１０には、信号線を介して消火システム専用の火災感知器３が接続されている。さらに、この消火システム制御盤１０は、信号線を介して、火災受信機８、現地操作盤７およびポンプ制御盤９が接続されている。ポンプ制御盤９は、加圧送水装置６と共に消火ポンプ室に設置されている。なお、この図４は、消火システムの一例であり、火災感知器の個数や区画の数は、防火対象物の大きさによって変更され、また消火装置としては、固定式ヘッド以外に可動式ヘッド等を使用するようにしてもよい。
【０００７】
消火システム制御盤１０は、火災受信機８からの火災信号と、消火システム専用の火災感知器３からの火災信号とを受信する。そして、火災感知器３が作動した防護区画が、火災受信機８からの火災信号の発信源である火災感知器１または２が作動した警戒区域に包含されるとき、前記防護区画に対して自動的に消火を行うように制御する。また、消火システム制御盤１０または現地操作盤７は、手動操作によっても火災の消火を行うことができる。
【０００８】
図５の消火システムに使用される消火システムの制御装置には、特許文献１に示すようなものがある。この特許文献１に示される消火システム制御装置の盤面図を図６に示す。図６の手動操作盤は本発明における現地操作盤に相当する。
【０００９】
図６に示すように、手動操作盤の盤面上部には、火災時や放水時に点灯する火災灯や放水中灯が設けられる。また火災灯の下側には、どの区画で放水を行うかを選択する（正確には、どの区画における遠隔操作弁を開放させるかを選択する）スイッチが設けられている。また、盤面の下方には、自動モードで放水するか、手動モードで放水するかを選択する操作部と、放水を停止する停止スイッチが設けられる。区画選択用スイッチの下側には、自動モードまたは手動モードのどちらのモードが選択されているかを示す表示灯が設けられ、また、どの制御装置から手動操作を行うかを決める操作権のスイッチと、その手動操作を行う権限（操作権）がどちらの盤にあるかを示す表示灯が設けられる。
【００１０】
このような従来の消火システムの制御装置を用いて手動操作で消火を行う場合、手動操作を行う制御装置（消火システム制御盤または現地操作盤等）において予め手動操作する権限を取得する操作を行わねばならなかった。そして、制御装置の盤面操作部は機能毎に集約された配置であり、操作の動線が複雑になるものであった。
【００１１】
また、火災発生時、たまたま操作員が現地操作盤付近に居合わせても、専用の鍵（キースイッチ）が無ければ目前の火災に対して現地操作盤を操作して消火することが出来なかった。
【００１２】
上記のように消火システムの制御装置を手動操作するには熟練者を必要とし、専用の鍵の管理等、運用管理に習熟している必要があった。
【００１３】
そこで、特許文献２に係る発明が成され、手動運転時に盤面を手動操作する権限を取得するために専用のスイッチを操作する必要がなく、手動操作しようとする防護区画を選択するという自然の操作を行うと同時に消火手段を手動で遠隔操作することができるようになった。
【先行技術文献】
【特許文献】
【００１４】
【特許文献１】特開２０００−０００３２８号公報
【特許文献２】特開２０１２−０７５５８０号公報
【発明の概要】
【発明が解決しようとする課題】
【００１５】
しかしながら、操作員が誤操作したり火災感知器が誤報を生じたりして誤放水を開始するような状況、あるいは誤放水を開始してしまったような状況に陥ったとき、操作員は一刻も早く放水停止しようと慌てて放水停止操作することがあり得る。
【００１６】
本発明は、直感的で簡便な操作で放水停止操作できるようにして操作性の向上を図り、操作員がパニック状態に陥ったような場合であっても、スムーズに放水停止操作を行えるようにすることを目的とする。
【課題を解決するための手段】
【００１７】
本発明に係る消火システムの制御装置は、防護区画に配設する火災検出手段および消火手段と、防災センタ等の集中管理施設に配設する消火システム制御盤と、前記防護区画を直接監視可能な近傍位置に配設する現地操作盤と、を備え、前記火災検出手段の作動によって前記消火手段を作動させる自動放水モードと、前記消火手段を手動で遠隔操作できる手動放水モードの何れかを選択して運転する消火システムの制御装置において、前記消火システム制御盤または前記現地操作盤は、前記消火手段が放水するとき又は放水中のとき、自動的に操作が許可される放水停止スイッチを備え、該放水停止スイッチは、前記操作が許可されているときに、第１回目の操作を行うとこの操作を最後に行った前記現地操作盤または前記消火システム制御盤のみに前記消火手段を手動で遠隔操作することを許可するとともに他からの前記遠隔操作を禁止し、さらに連続して第２回目の操作を行うと前記消火装置の放水を停止することを特徴とするものである。
【発明の効果】
【００１８】
本発明に係る消火システムの制御装置は、放水停止スイッチを２回連続して操作するという、より直感的で簡便な操作によって放水を停止することができるので、操作員がパニックに陥ったとしても確実に放水を停止することができる。
【図面の簡単な説明】
【００１９】
【図１】本発明に係る消火システムの制御装置における正面図である。図１（Ａ）は消火システム制御盤を、図１（Ｂ）は現地操作盤を、それぞれ表す。
【図２】本発明に係る消火システムの制御装置における消火システム制御盤の盤面拡大図である。
【図３】本発明に係る消火システムの制御装置における現地操作盤の盤面拡大図である。
【図４】本発明に係るイベント情報の読み出し装置に関する構成図である。
【図５】本発明に係る消火システムの構成図である。
【図６】従来の消火システム制御盤の盤面図である。
【発明を実施するための形態】
【００２０】
［実施の形態１］
【００２１】
本実施の形態に係る消火システムの制御装置について、その電気的構成を説明する。消火システムの制御を行う制御手段としての、消火システム制御盤３００と、現地操作盤４００とがあり（図１参照）、それぞれ図５における消火システム制御盤１０と現地操作盤７と置き換えて設置される。
【００２２】
消火システム制御盤３００は、記憶部１０１と、出力ポート１０２と、制御部１０３と、電源部１０４と、表示・操作部１０５と、入出力部１０６とを備える（図４参照）。
【００２３】
前記電源部１０４は、前記記憶部１０１と、前記出力ポート１０２と、前記制御部１０３と、前記表示・操作部１０５と、前記入出力部１０６とへ電気的に接続され、これらに電力を供給するとともに、前記入出力部１０６を介して、前記現地操作盤４００と、消火システム専用の火災感知器３とに電力を供給し、さらに制御出力として遠隔操作弁５と、消火ポンプ制御盤９とに電力を送出する。
【００２４】
前記入出力部１０６は、消火システム制御盤３００の外部機器である、火災検出手段としての消火システム専用の火災感知器３と、火災受信機８と、遠隔操作弁５と、消火ポンプ制御盤９と、現地操作盤４００とへ電気的に接続され、信号授受を行うとともに、前記制御部１０３と電気的に接続され、前記外部機器との信号授受を仲介する。
【００２５】
前記表示・操作部１０５は、前記制御部１０３と電気的に接続され、表示・操作部１０５上の操作スイッチ等からの信号を前記制御部１０３へ送出するとともに、制御部１０３からの制御信号によって表示・操作部１０５上のＬＥＤ等の表示手段を制御する。
【００２６】
前記記憶部１０１は、前記制御部１０３と電気的に接続され、消火システム全体の制御を行う前記制御部１０３を作動させる為の制御プログラムを格納するとともに、発生したイベント情報を前記制御部１０３から受けてこれを記憶する。
【００２７】
前記出力ポート１０２は、前記制御部１０３上に設けられ、可搬型コンピュータ等の外部端末ＰＣを接続して通信を行うものであり、前記イベント情報を外部端末で読み出すものである。
【００２８】
前記制御部１０３は、前記記憶部１０１に格納された制御プログラムにしたがって、消火システム制御盤３００内部の制御を行うとともに、消火システム全体の制御を行う。
【００２９】
また、現地操作盤４００は、盤面に消火システムの作動状況を表示し、各種の操作を行う為のスイッチ等を配置した図示しない表示・操作部と、消火システム制御盤３００と電気的に接続する為の図示しない入出力部とを備える。
【００３０】
次に制御装置の盤面の構成について説明する。
【００３１】
消火システム制御盤３００および現地制御盤４００の表示・操作部１０５について、本体正面に設けられる盤面の構成例をそれぞれ図２、図３に示す。以下、図２および図３に基いて、盤面構成を説明する。
【００３２】
図２において、消火システム制御盤３００の盤面３００Ｃは高さ方向において４つの領域に、図３において、現地操作盤４００の盤面４００Ｃは高さ方向において３つの領域に、それぞれ分けられている。盤面３００Ｃおよび４００Ｃの最上部には、（１）表示灯領域２０が設けられ、その下側には、（２）放水モード領域３０が設けられ、その下側には（３）放水制御領域４０が設けられる。さらに、消火システム制御盤の盤面最下部には、（４）その他操作部領域５０が設けられる。４つの領域２０〜５０には、表示灯領域２０を除いて、火災や放水に関する各種操作部が設けられる。また、表示灯領域２０には、火災時に点灯する表示部としての火災灯２１が設けられ、放水制御領域４０には、放水時に点灯する放水中灯４１が設けられる。各領域２０〜５０にあるスイッチ等で構成される操作部の左側には、ＬＥＤからなる表示部が設けられ、スイッチの操作時に点灯または点滅するように構成されている。
【００３３】
この消火システム制御盤３００の盤面３００Ｃおよび現地操作盤４００の盤面４００Ｃに設けられる各種操作部は、火災発生から放水中までの流れに沿って盤面上の上方から右下方に向かって略一方向に配置されている。言い換えれば、火災発生時において、操作すべきスイッチ（操作部）から盤面の上部に配置されており、盤面３００Ｃおよび４００Ｃの右下方へ行くほど、操作処理において、後で操作すればよいスイッチとなっている。
【００３４】
また、表示部についても、同様に、火災発生から放水中までの流れに沿って盤面上の上部から下部にわたって略一方向に配置されている。言い換えれば、火災発生時において、はじめに点灯する表示部から盤面の上部に配置されており、放水中灯のように火災発生時において、最終的に点灯する表示部は盤面３００Ｃおよび４００Ｃの右下方に配置されている。
【００３５】
操作部や表示部が、このように配置されるため、火災時には、操作員は盤面の上方から右下方へわたって順々に操作していくことで、確実に消火装置の放水等の操作を行うことが可能となっており、操作性にも視認性にも優れているという効果がある。
【００３６】
各領域２０〜５０に設けられる操作部同士または操作部と表示部同士は、操作の順番を示す矢印部６０で結んで表示されている。矢印部６０は、盤面３００Ｃおよび４００Ｃにおいて、例えば、所定の幅を有した白抜きで表示されるように盤面に印刷したものである。火災時における操作手順は、この矢印部６０の矢印の先端側に向かって、処理をすすめれば良いようになっている。つまり盤面全体が、あたかもフローチャートのような表示形式となっている。
【００３７】
以下に、図２、図３における表示部と操作部の詳細を領域２０〜５０毎に説明する。
（１）表示灯領域２０
【００３８】
表示灯領域２０は、上部のシステム状態表示部と下部の火災発生表示部とから構成される領域である。火災時に点灯する火災灯２１の上部には、交流電源灯や故障時に点灯する故障灯などの表示灯をまとめた各種表示灯２２が設けられる。そして、火災灯２１の下部には、各区画毎の火災状況を示す地区灯２３が設けられる。地区灯２３は、３つの表示灯から構成されており、最上部に区画灯２３Ａ、真ん中に自火報灯２３Ｂ、最下部に消火専用灯２３Ｃが設けられる。この地区灯２３は、区画数に応じて設けられ、図２および図３の場合には、５区画（５回線）に相当するものとなっている。
（２）放水モード領域３０
【００３９】
この領域は、消火システム制御盤３００と現地操作盤４００とでは異なる部分があるので、それぞれについて分けて説明する。
＜消火システム制御盤の放水モード領域＞
【００４０】
消火システム制御盤３００の盤面３００Ｃにおいて、放水モード領域３０の上部には、自動放水モードと手動放水モードのいずれかを選択する放水モード選択部３１が設けられる。放水モードの選択は、専用の鍵（キースイッチ）を使用して行われ、その鍵を回すことで、放水モードを選択できる。放水モード選択部３１の横には、いずれの放水モードであるかを表示する放水モード表示灯３１Ａ、３１Ｂが設けられる。通常は、自動放水モードに設定されており、自動モード側の放水モード表示灯３１Ａが点灯しており、火災時には、火災検出手段としての火災感知器の作動により、自動で遠隔操作弁が開放されて消火水が供給され、消火手段としての消火装置から放水を行うようになっている。
【００４１】
放水モード選択部３１の横には、放水モードの説明書きを記載した領域を介して、音響停止スイッチ３３が設けられる。このように盤面上に説明書きを記載した領域を、対象となる操作部の近傍に設けることで、操作の理解を助けるようにしてある。
【００４２】
そして放水モード選択部３１の下側には、手動放水モードの説明を記載したモード説明領域３４が設けられ、その横であって、音響停止スイッチ３３の下側に自動放水モードの表示が設けられ、制御部１０３の内部に備わった図示しない放水開始タイマの表示部３５が設けられる。放水開始タイマは、所定の遅延時間の後に消火手段としての消火装置を作動させる遅延動作を行うものであり、放水が開始されるまでの残り時間をカウントし、放水開始タイマ表示部３５に前記カウントの値を表示する。例えば、１８０秒からカウントダウンし、０秒になったときに、放水を開始する制御を行う。なお、放水開始タイマ表示部３５の近傍には、必要に応じて、「放水開始タイマ」の説明書きを記載した領域を設けるようにしてもよい。
【００４３】
前記放水開始タイマは、消火システム制御盤３００の盤面３００Ｃにおいて放水モード選択部３１を手動放水モードに切り換えるとカウントダウンを中断し、そのときのカウント値のまま停止する。そして、放水モード選択部３１を再び自動放水モードに戻すと、停止したカウント値からカウントダウンを再開する。
【００４４】
また、現地操作盤４００の盤面４００Ｃで、遅延動作停止操作としてタイマ停止スイッチを操作すると、現地操作盤から消火システム制御盤に対して遅延動作停止を要求する信号が送出され、これを受信した消火システム制御盤３００の制御部１０３は、前記遅延動作を中止し、前記放水開始タイマのカウントダウンを停止するとともにカウント値を初期化し、消火装置の作動を中止するとともに、前記手動放水モードに移行する制御を行い、消火システム制御盤３００および現地操作盤４００は手動放水モードとなる。
【００４５】
放水モード選択部３１とモード説明領域３４との間には、モード説明領域３４側に向かって下方に矢印が伸びる下向きの第１の矢印部６０Ａが表示される。この第１の矢印部６０Ａは、その後端が、地区灯２３の部分に接しており、地区灯２３からモード説明領域３４まで伸びる矢印となっている。放水モード選択部３１と放水開始タイマ３５との間には、放水開始タイマ３５側に向かって右方に矢印が伸びる右向きの第２の矢印部６０Ｂが表示される。この第２の矢印部６０Ｂは、放水モード選択部３１の下方で、第１の矢印部６０Ａと分岐している。このように、放水モード領域３０においては、操作手順（操作の順番）を示すために、矢印部としての第１の矢印部６０Ａと、第２の矢印部６０Ｂとが盤面上に表示されている。
＜現地操作盤の放水モード領域＞
【００４６】
一方、現地操作盤４００の盤面４００Ｃにおいては、放水モード領域３０の上部には、盤面操作を行うか否かの選択部（盤面操作可否選択部）３２が設けられ、専用の鍵（キースイッチ）が盤面操作可否選択部３２に挿入されて操作可能位置に回されると、現地操作盤４００から消火システム制御盤３００に、現地操作盤４００の盤面操作要求信号が送出され、これを消火システム制御盤３００の制御部１０３が受信する。該制御部１０３は、火災検出手段の作動状況と前記盤面操作要求信号によって、現地操作盤４００の前記盤面操作要求信号以外の盤面操作による信号を受けても無視し、現地操作盤の盤面操作禁止手段として作用したり、前記盤面操作禁止手段を解除したりする。
【００４７】
前記専用の鍵（キースイッチ）は盤面操作不可の位置で盤面操作選択部３２から外れるようになっており、平常時、すなわち前記専用の鍵が抜かれ、かつ、火災が発生していない状態では現地操作盤４００の盤面操作は出来ないように、現地操作盤の盤面操作禁止手段として、前記消火システム制御盤３００の制御部１０３に制御される。
【００４８】
火災発生時には、自動放水モードで遠隔操作弁が開放されて消火水が供給され、消火手段としての消火装置４から放水を行うように制御されるとともに、消火システム制御盤３００の制御部１０３が現地操作盤４００の盤面操作禁止を自動的に解除する制御を行い、盤面操作選択部３２の側方に位置する盤面操作可能灯３２Ｂが点灯し、盤面操作が可能となる。このとき、現地操作盤４００でタイマ停止スイッチ３５Ｂの操作が行われると、その盤面操作による信号が消火システム制御盤３００に対して送出され、消火システム制御盤３００は放水を中止し、手動放水モードに移行する。すなわち、火災発生時、たまたま火災現場に遭遇して専用の鍵（キースイッチ）を所持していない場合であっても、現地操作盤４００の盤面を操作して消火活動を行えるようになっているのである。また、火災検出手段が誤報を発した場合、たまたま火災現場に遭遇して専用の鍵（キースイッチ）を所持していない場合であっても、現場が火災でないことを確認して、現地操作盤４００を操作して、誤った放水による水損を防止することもできる。
【００４９】
また、火災検出手段が火災を検出していない場合でも、専用の鍵（キースイッチ）を盤面操作可否選択部３２に挿入して、その鍵を盤面操作可能の位置へ回すことによって、前記盤面操作禁止手段として作用している消火システム制御盤３００の制御部１０３は、盤面操作禁止を解除し、現地操作盤４００の盤面操作を可能とすることができる。ただし、消火システム制御盤３００において現地操作盤４００の盤面操作を禁止する操作を行っている場合、現地操作盤４００の盤面操作選択部３２の側方に位置する盤面操作不可灯３２Ａが点灯し、前記専用の鍵（キースイッチ）を挿入して盤面操作可能の位置に回しても、盤面操作が無効となるようにしている。この無効処理は、消火システム制御盤３００が現地操作盤４００から送出される盤面操作信号を受け付けないことによって行われる。このような消火システム制御盤３００の操作は、消火システム制御盤３００等、現地操作盤４００以外の場所で点検などを行っている場合に、不意な現地操作盤４００からの操作で事故が起きることを防止する目的などで用いる。
【００５０】
盤面操作可否選択部３２の横には、盤面操作の説明書きが記載される。このように盤面上に説明書きを記載した領域を、対象となる操作部の近傍に設けることで、操作の理解を助けるようにしてある。
【００５１】
そして盤面操作可否選択部３２の下側には、手動放水モードの説明を記載したモード説明領域３４と、自動放水モードの表示とが、横方向に設けられ、放水開始タイマの作動を表示する表示部３５が設けられる。放水開始タイマ表示部３５は、放水が開始されるまでの残り時間の間に点滅表示するもので、これが点灯に変わって放水を開始するまでの間に、タイマ停止スイッチ３５Ｂを操作すると、放水開始タイマは停止し、手動放水モードへと切り替わる。なお、タイマ停止スイッチ３５Ｂの近傍には、必要に応じて、「放水開始タイマ」の説明書きを記載した領域を設けるようにしてもよい。
【００５２】
盤面操作可否選択部３２とモード説明領域３４との間には、モード説明領域３４側に向かって下方に矢印が伸びる下向きの第１の矢印部６０Ａが表示される。この第１の矢印部６０Ａは、その後端が、地区灯２３の部分に接しており、地区灯２３からモード説明領域３４まで伸びる矢印となっている。盤面操作可否選択部３２と放水開始タイマ表示部３５との間には、放水開始タイマ３５側に向かって右方に矢印が伸びる右向きの第２の矢印部６０Ｂが表示される。この第２の矢印部６０Ｂは、盤面操作可否選択部３２の下方で、第１の矢印部６０Ａと分岐している。このように、放水モード領域３０においては、操作手順（操作の順番）を示すために、矢印部としての第１の矢印部６０Ａと、第２の矢印部６０Ｂとが盤面上に表示されている。
（３）放水制御領域４０
【００５３】
放水制御領域４０には、放水時に点灯して放水中であることを示す放水中灯４１が設けられる。放水中灯４１は、横長の矩形領域で形成され、火災灯２１と同等以上の長さであり、視認性をよくしてある。放水中灯４１の上方には、放水を開始させる放水開始スイッチ４２が設けられ、また放水中灯４１の下方には、放水を停止させる放水停止スイッチ４３が設けられる。
【００５４】
放水開始スイッチ４２の上方には、消火活動を行う防護区画（放水区画）を選択する区画選択手段である区画選択部４４が設けられる。本実施例では、区画数が５つのため、区画選択部４４は、５つの放水区画選択スイッチから構成されている。
【００５５】
この放水区画選択スイッチを操作することで、消火装置４を手動で遠隔操作する権限である操作権を取得でき、スイッチの操作を行った制御装置側に操作権があることを示す表示灯４５Ａ、４５Ｂ、４５Ｃのいずれか１つが点灯する。逆に他方の制御装置側で放水区画選択スイッチの操作があれば、他方の制御装置側に操作権が移り、操作権があることを示す表示灯４５Ａ、４５Ｂ、４５Ｃのいずれか１つを点灯させる。この操作権の制御は、操作が有効な（盤面操作不可の状態でない）制御装置において、放水区画選択スイッチを最後に操作した制御装置側に操作権を付与し、他の制御装置からの手動操作が無効となるように、消火システム制御盤３００の制御部１０３で制御する。すなわち、放水区画選択スイッチを操作することによって随時操作権を取得できるわけであり、どの制御装置（消火システム制御盤、現地操作盤）からも操作権を取得して手動操作することができると同時に、複数の制御装置（消火システム制御盤、現地操作盤）から同時に操作できないようにして、操作員が混乱しないようにすることができるのである。
【００５６】
モード説明領域３４と区画選択部４４との間には、区画選択部４４側に向かって垂直方向に矢印が伸びる下向きの第３の矢印部６０Ｃが表示される。また、区画選択部４４と放水開始スイッチ４２との間には、放水開始スイッチ４２側に向かって垂直方向に矢印が伸びる下向きの第４の矢印部６０Ｄが表示される。また、放水開始スイッチ４２と放水中灯４１との間には、放水中灯４１側に向かって右方に矢印が伸びる右向きの第５の矢印部６０Ｅが表示される。また、放水開始タイマ表示部３５と放水中灯４１との間には、放水中灯４１側に向かって垂直方向に矢印が伸びる下向きの第６の矢印部６０Ｆが表示される。そして、放水中灯４１と放水停止スイッチ４３との間には、垂直方向に放水停止スイッチ４３側に向かって矢印が伸びる下向きの第７の矢印部６０Ｇが表示される。
【００５７】
このように操作手順（操作の順番）を示すために、矢印部６０は、７つの矢印部６０Ａ〜６０Ｇによって構成されているが、必ずしも全ての矢印部が必要というわけではない。いずれか一部分だけに矢印部を設けるようにしたものであってもよい。
（４）その他操作部領域５０（保守操作部領域）
【００５８】
その他操作部領域５０には、消火システム制御盤３００の盤面３００Ｃにおいては、遮断用スイッチ５１、試験用スイッチ５２、復旧スイッチ５３、保安用電話ジャック５４が、現地操作盤４００の盤面４００Ｃにおいては保安用電話ジャック５４だけが、それぞれ設けられる。図示はしないが、放水停止スイッチ４３と復旧スイッチ５３との間に矢印部を表示するようにしてもよい。
【００５９】
次に、この消火システム制御盤３００および現地操作盤４００における火災時の放水処理の操作手順について説明する。
【００６０】
消火システムが防護する防火対象物において火災が発生すると、まず自火報用の火災感知器１または２が火災を検知して、火災信号を火災受信機８に出力する。火災受信機８は、この火災信号を消火システム制御盤３００に移報する。消火システム制御盤３００で、前記火災信号を受信すると、火災が発生した区画における自火報灯２３Ｂを点灯するとともに、現地操作盤４００に対して信号を送出し、火災が発生した区画における自火報灯２３Ｂを点灯させる。
【００６１】
続いて、火災検出手段としての消火システム専用の火災感知器３が動作（火災発報）すると、火災が発生した区画における消火専用灯２３Ｃを点灯するとともに、現地操作盤４００に対して信号を送出し、火災が発生した区画における消火専用灯２３Ｃを点灯させる。消火システム制御盤３００では、同じ区画にある自火報用の火災感知器１または２と消火システム専用の火災感知器３が発報すると、火災が発生したものと断定し、区画灯２３Ａと火災灯２１を点灯させるとともに、現地操作盤４００に対して信号を送出し、消火システム制御盤と同じ区画の区画灯２３Ａと火災灯２１とを点灯させる。防災センタまたは現地の操作員は、区画灯２３Ａと火災灯２１の点灯により、防火対象物のどの防護区画で火災が発生したかを認識する。この際、消火システム制御盤３００は音響装置で火災警報し、音響停止スイッチ３３を押すことで、火災警報の音響を停止することができる。なお、この後、引き続き別の区画でも火災が発生した場合には、消火システム制御盤３００および現地操作盤４００の該当する区画の区画灯２３Ａが点滅表示となって、どの区画で第２報が発生したかがわかるようになっている。
【００６２】
区画灯２３Ａの点灯に伴い、矢印部６０Ａを見ることで、次の操作として、放水モードを操作すればいいことが理解できる。消火システム制御盤３００が自動放水モードに設定されている場合、火災が発生したことが断定されると、図示しない放水開始タイマが１８０秒の状態からカウントダウンを開始し、消火システム制御盤３００においては残り時間を、現地操作盤４００においてはカウントダウンを行っていることを点滅によって、それぞれ放水タイマ表示部３５に表示する。このとき、消火システム制御盤３００の放水モード選択部３１にある放水モード表示灯３１Ａの「自動放水」の部分が点灯し、現地操作盤４００の盤面操作可否選択部３２は自動的に盤面操作可能となり、盤面操作可能灯３２Ｂが点灯する。
【００６３】
ここで、矢印部６０Ａ、矢印部６０Ｂおよび矢印部６０Ｃの矢印側を見ることで、モード説明領域３４の内容を読んで、手動放水モードを選択するかを検討でき、また放水開始タイマ表示部３５でカウントダウンがはじまったことを認識することができる。
【００６４】
放水開始タイマのカウントダウン中は「放水開始タイマ作動中」灯３５Ａが点滅する。放水開始タイマのカウントダウンが進み、カウント値が０になると、自動的に放水を開始する。
【００６５】
放水開始タイマのカウントダウン中に、直ちに放水を行いたい場合には、消火システム制御盤３００では放水モード選択部３１を手動放水モードに切り換え、現地操作盤４００においてはタイマ停止スイッチ３５Ｂを操作する。
【００６６】
なお、火災時に限り、消火システム制御盤３００は平常時には禁止している現地操作盤４００の盤面操作を自動的に解除するので、現地操作盤４００の盤面操作を可能とするための専用の鍵（キースイッチ）を携行していなくても、現場に居合わせた操作員が現地操作盤４００を操作することができる。この操作により、放水開始タイマは停止するので、区画選択部４４を操作して放水したい区画を選択すると同時に操作権を自動的に獲得し、放水開始スイッチ４２を押すと、対象となる区画に放水をすることが可能となる。このとき、区画選択部４４の操作により、操作されたスイッチの所の表示灯（放水区画選択灯）が点滅する。逆に、手動放水モードに切り換えることによって、放水開始タイマは停止するので、そのまま区画選択部４４または放水開始スイッチ４２を操作しなければ自動放水を停止したままとすることも可能である。
【００６７】
放水開始タイマのカウント値が０になると、自動的に選択されて消火対象となっている区画の遠隔操作弁５が開放するとともに、ポンプ制御盤９を介して加圧送水装置６が起動され、その結果、火災が発生した防護区画において消火手段としての消火装置４から放水が行われ火災を消火する。この遠隔操作弁５の開放制御が行われると、放水中灯４１が点灯する。防災センタの操作員は、消火システム制御盤３００の放水開始タイマ表示部３５の値が０になったとき、矢印部６０Ｆの先端に案内されて、放水中灯４１を見るので、放水が行われていることを認識できる。なお、手動放水モードの場合には、矢印部６０Ｄ、６０Ｅに案内されて、放水中灯４１の点灯を認識することが可能となる。
【００６８】
火災が完全に消火されたことを確認したら、矢印部６０Ｆの先端にある放水停止スイッチ４３を操作して、遠隔操作弁５を閉止制御して、消火水の供給を停止する。消火水の供給が停止すると、放水中灯４３は消灯する。また復旧スイッチ５３を押すことで、火災灯２１、区画灯２３Ａ、消火専用灯２３Ｃも消灯される。自火報灯２３Ｂについては、火災受信機８から出力がなくなったときに消灯する。
【００６９】
ところで、消火装置４が放水するとき、すなわち、放水開始タイマがカウントを開始したときや、消火装置４が放水中のときに、直ちに放水を停止したい状況が起こり得る。例えば、操作員による誤った操作や、火災感知器２、３の誤動作によって、放水開始タイマがカウントを開始したり、放水を開始したりしてしまったような場合である。このような状況では、操作員は慌てて放水停止操作を行おうとすることが想定されるので、その操作方法は、より直感的で簡便である必要がある。
【００７０】
そこで、放水開始タイマのカウント時、または、放水中、のとき、自動的に放水停止スイッチ４３の操作を許可しておき、このとき放水停止スイッチ４３の操作を行うと消火装置４を手動で遠隔操作する権限である操作権を取得できるようにしておく。つまり、放水停止スイッチ４３の第１回目の操作で操作権を取得し、さらに連続して放水停止スイッチ４３の操作を行うと消火装置４の放水を停止するようにしておく。したがって、放水停止スイッチ４３を２回連続して操作することによって確実に放水を停止することができる。
【００７１】
本発明によれば、消火システム制御盤３００および現地操作盤４００の盤面上に設けられる操作部や表示部は、操作の順番に従うように、上方から右下方にわたって略一方向に配置されているので、視認性が良い。また、操作部や表示部の間には、操作の順番を示す矢印部がフローチャートのように表示されているので、どの順番で操作部を操作していいのかがわかりやすく、操作性が向上する。
【００７２】
そして、上記の如く順番に操作していく過程で、操作権を意識することなく自然に操作権を獲得するので、操作権を獲得する為の専用スイッチを設ける必要がなく、先に述べたように盤面上の操作部と表示部とを操作の順番に従うように略一方向に配置し、これらを操作する動線が、操作権を取得する為だけの操作でぶれることがないのである。
【００７３】
なお、矢印部は、単なる白抜きの印刷表示としたが、矢印部の輪郭内にＬＥＤなどの発光体を設けたり、矢印部を面発光体で形成したり背面に照光するための発光体を設けたりして、次に操作する操作部への流れを示す矢印部だけを点滅または点灯するようにして、操作の案内機能を高めるようにしてもよい。
【００７４】
なお、操作スイッチの横にあるＬＥＤは、点滅周期を変えて点滅表示させるようにしてもよい。例えば、放水区画の選択スイッチの横にあるＬＥＤを、放水開始タイマのカウントダウン中（放水予告中）には２Hzで点滅させ、放水制御中に１Hzで点滅させ、放水中に点灯させるようにしてもよい。このようにすることで、操作に対する状況が認識しやすくなる。
【００７５】
また、火災発生を示す区画灯を、第１報目の区画は点灯させ、第２報目の区画は２Hzで点滅させ、第３報目の区画は１Hzで点滅させるようにしてもよい。このようにすると、火災が複数の箇所で発生した場合に、火災が発生した順番を認識することが可能となる。
【００７６】
ところで、消火活動が終了した後や、不具合が発生した場合などは、何時に、何が起きたか、といったイベント情報が調査に役立つ。消火システム制御盤３００は、記憶部１０１を備え、発生時刻情報を含む発生したイベント情報を記憶するようになっている。そして、前記イベント情報は前記制御部１０３上に備えた出力ポート１０２を介して外部の情報端末ＰＣへ読み出すことができるようにしているので、イベント情報を調査することが可能となる。
【００７７】
また、放水開始タイマのカウント時、または、放水中、のいずれかのとき、放水停止スイッチ４３を２回連続して操作することによって確実に放水を停止することができるので、より直感的で簡便な操作によって放水を停止することができる。
［実施の形態２］
【００７８】
本実施の形態に係る消火システムの制御装置は、実施の形態１における構成を一部変更したものであり、同一の部分については説明を省略する。
【００７９】
本実施の形態においては、防護区画毎の火災を検出する火災検出手段としての消火システム専用の火災感知器３に代えて、赤外線受光素子等の視野を走査して防護区画内の火災源から放射される放射光を受光し、火災の検出に加えて火災源の位置を特定する図示しない火源探査装置を備え、これを以て消火システム専用の火災感知器に代えるものである。
【００８０】
さらに、前記火源探査装置が自動火災報知設備を代替できるものであれば、自動火災報知設備そのものを省略することができる。すなわち、前記火災受信機８と前記自動火災報知設備用の火災感知器１および２を省略することができる。
【００８１】
このような火源探査装置を備えると火災源位置を特定できるので、消火手段としての固定式ヘッド４に代えて図示しない放水銃等の可動式ヘッドを設置し、特定された火災源に向けて放水するようにしても良い。このような場合であっても、可動式ヘッド等の消火装置を手動で操作する際には、実施の形態１で述べたことと同様に、操作員が手動操作を行う権限を取得する為だけの操作を行う必要が無く、複数の操作員が複数箇所から操作する場合でも混乱を招くことがなく、火災発生場所に居合わせた操作員が現場状況に応じて手動操作を行おうとするときに現地操作盤を操作して自動放水を停止したり手動で防護区画を選択して放水を行うことができ、現場に居合わせた操作員が専用の鍵（キースイッチ）を持ち合わせていなくても、現場状況に応じて現地操作盤を手動操作して消火活動にあたることができるといった効果に変わりはない。
【符号の説明】
【００８２】
２０  表示灯領域、  ２１  火災灯、  ２３  地区灯、
３０  放水モード領域、  ３１  放水モード選択部、  ３５  放水開始タイマ表示部、  
４０  放水制御領域、  放水中灯、  ４２  放水開始スイッチ、
４３  放水停止スイッチ、  ４４  放水区画選択部、
５０  その他操作部領域、  ５３  復旧スイッチ、  ６０  矢印部、
１０１  記憶部、  １０２  出力ポート、  １０３  制御部、
１０４  電源部、  １０５  表示・操作部、  １０６  入出力部、
３００  消火システム制御盤、  ３００Ｃ  消火システム制御盤の盤面、
４００  現地操作盤、    ４００ｃ  現地操作盤の盤面
【図１】
2014033709.tif 000003
【図２】
2014033709.tif 000004
【図３】
2014033709.tif 000005
【図４】
2014033709.tif 000006
【図５】
2014033709.tif 000007
【図６】
2014033709.tif 000008